(57)【要約】【課題】ハダニは適応性が高く、その都度、駆除剤に対して抵抗性が出てきて、薬が効かなくなってしまう。毒性の強い農薬は撒布する作業者にも悪影響がある。【解決手段】炭酸ガス１２を供給するボンベ１４と、ニガリ水溶液２０を収容した容器２１と、ボンベ１４から供給された炭酸ガス１２のファインバブルをニガリ水溶液２０中に混入させる混合装置１８と、その混合液２４を容器２１から取り出して噴霧する撒布ノズル２２とを備えたことを特徴とするハダニ駆除装置。ニガリと炭酸ガスの相乗効果でハダニを駆除できる。【選択図】図１
2019180346.tif 000002
【特許請求の範囲】
【請求項１】
炭酸ガス１２を供給するボンベ１４と、ニガリ水溶液２０を収容した容器２１と、ボンベ１４から供給された炭酸ガス１２のファインバブルをニガリ水溶液２０中に混入させる混合装置１８と、その混合液２４を容器２１から取り出して噴霧する撒布ノズル２２とを備えたことを特徴とするハダニ駆除装置。
【請求項２】
ボンベ１４から容器２１に収容したニガリ水溶液２０の中に炭酸ガス１２を供給すると同時に、混合装置１８により炭酸ガス１２のファインバブルをニガリ水溶液２０中に混入させて、得られた混合液２４を容器２１から取り出して植物の葉２６に噴霧することを特徴とするハダニ駆除方法。
【請求項３】
炭酸ガス１２を供給するボンベ１４と、水もしくは任意の植物生育用養液を収容した容器２１と、ボンベ１４から供給された炭酸ガス１２のファインバブルを植物生育用養液中に混入させる混合装置１８と、その混合液２４を容器２１から取り出して噴霧する撒布ノズル２２とを備えたことを特徴とする植物生育用混合液の噴霧装置。
【発明の詳細な説明】
【技術分野】
【０００１】
本発明は、ハダニ駆除のために効果のある人畜無害なハダニ駆除装置とハダニ駆除方法とこれを応用した植物生育用混合液の噴霧装置に関する。
【背景技術】
【０００２】
従来から、ハダニを駆除するための駆除剤は数多く開発し発売されている（特許文献１）（特許文献２）。
【先行技術文献】
【特許文献】
【０００３】
【特許文献１】特開２０１３−２８６１４
【特許文献２】特表２０１０−５２８０６２
【発明の概要】
【発明が解決しようとする課題】
【０００４】
既知の従来の技術には、次のような解決すべき課題があった。
ハダニは適応性が高く、その都度、駆除剤に対して抵抗性が出てきて、薬が効かなくなってしまうという問題があった。したがって、よく効く駆除剤を入手して、数年使用していると効果が落ちて使用できなくなると言う問題がしばしばあった。
【０００５】
よく効く駆除剤を買い置きしたような場合には、全部使いきらないうちに効果が減少してしまうようなこともあった。ハダニは体内において駆除剤に対する分解酵素を作り出す。その結果、世代交代により薬剤に対して抵抗性のハダニが発生するというのが、その理由と考えられる。本発明は上記の課題を解決するためになされたもである。
【課題を解決するための手段】
【０００６】
以下の構成はそれぞれ上記の課題を解決するための手段である。
【０００７】
＜構成１＞
炭酸ガス１２を供給するボンベ１４と、ニガリ水溶液２０を収容した容器２１と、ボンベ１４から供給された炭酸ガス１２のファインバブルをニガリ水溶液２０中に混入させる混合装置１８と、その混合液２４を容器２１から取り出して噴霧する撒布ノズル２２とを備えたことを特徴とするハダニ駆除装置。
【０００８】
＜構成２＞
ボンベ１４から容器２１に収容したニガリ水溶液２０の中に炭酸ガス１２を供給すると同時に、混合装置１８により炭酸ガス１２のファインバブルをニガリ水溶液２０中に混入させて、得られた混合液２４を容器２１から取り出して植物の葉２６に噴霧することを特徴とするハダニ駆除方法。
【０００９】
＜構成３＞
炭酸ガス１２を供給するボンベ１４と、水もしくは任意の植物生育用養液を収容した容器２１と、ボンベ１４から供給された炭酸ガス１２のファインバブルを植物生育用養液中に混入させる混合装置１８と、その混合液２４を容器２１から取り出して噴霧する撒布ノズル２２とを備えたことを特徴とする植物生育用混合液の噴霧装置。
【発明の効果】
【００１０】
＜構成１の効果＞
炭酸ガス１２の微小バブルとニガリ水溶液２０によりハダニを人畜無害な農薬により効果的に駆除できる。
＜構成３の効果＞
容器の中に入れておく液の種類により、自由に混合液の成分を変更して、植物の生育に最適な人畜無害の農薬を噴霧できる。
【図面の簡単な説明】
【００１１】
【図１】（ａ）は本発明のハダニ駆除装置の実施例を示す側面図である。また（ｂ）は混合液２４を噴霧した植物の葉２６の斜視図である。
【発明を実施するための形態】
【００１２】
本発明は、従来農薬として扱われていないニガリを使用する。従来、ヤマヒルを防ぐのに、ニガリを下着に浸みこませておく方法が知られている。ヤマヒルがニガリに触れると、体が固まってしまうためである。
豆乳にニガリを入れて固めて豆腐が出来るように、ヤマヒルの体内のタンパク質がニガリに触れて固まってしまうので、被害を防ぐことができる。ハダニは、ヤマヒルと違って、体が薄い殻に覆われているので、ニガリの即効性を期待することはできない。野菜等に予め噴霧しておきハダニを寄せ付けないというような防御効果は大きくない。
【００１３】
一方、炭酸ガスがハウス栽培の野菜等のハダニの駆除に非常に効果があると言われている。しかし、広く解放された果樹園などにそのまま使用するのは不可能である。そこで、水で希釈したニガリの溶液を作成する。これに、炭酸ガスのファインバブルを混入させる。すなわち、高濃度の炭酸ガスと苦汁を溶け込ませた水溶液を作成する。炭酸ガスと苦汁の相乗効果を期待する。炭酸ガスによってダニを弱らせて、ニガリに接触する時間を長くして、効果的にハダニを駆除することが可能になる。
【００１４】
炭酸ガスもニガリも、一般の薬剤と違って、ダニが進化して効かなくなるという心配が無い。従って、この駆除剤は、長年連続して使用することができ、人畜無害な農薬として使用できる。また、散布する直前に簡単に調合できるという手軽さがある。さらに、純水な水よりもニガリを混ぜた水のほうが炭酸ガスのファインバブルを長時間保持する効果が高い。
【００１５】
なお、この駆除剤が効き目を発揮するためにある程度の時間植物に付着した状態を保持する必要がある。これには、駆除剤の蒸発を抑えることも有効である。このため、上記の駆除剤に対して、蒸発を抑えるために例えば、菜種油などを混入させる。この場合でも、全体として人畜無害であり、食用の野菜等の農薬として有効に利用できる。
【００１６】
にがりを混ぜた水溶液の中に、炭酸ガスのファインバブルを溶け込ませると、にがりの成分はマグネシウムであるから葉緑素のもとで、炭酸ガスは同化作用の必要性分であって、ともに植物の葉に散布する薬剤として有効である。すなわち、人畜無害であって長期間連続使用ができ、植物の同化作用を促進すると言う格別の効果がある。
【００１７】
果樹園の管理のために、特に暑い夏などに毒性の強い駆除剤を散布する場合には従来防護服を着用するため非常に大変であるが、この駆除剤は人畜無害であるため軽装で楽に作業することができるという効果もある。
【実施例１】
【００１８】
図１（ａ）は本発明のハダニ駆除装置の実施例を示す側面図である。また図１（ｂ）は混合液２４を噴霧した植物の葉２６の斜視図である。
この装置は、炭酸ガス１２を供給するボンベ１４と、ニガリ水溶液２０を収容した容器２１と、ボンベ１４から供給された炭酸ガス１２のファインバブルをニガリ水溶液２０中に混入させる混合装置１８と、その混合液２４を容器２１から取り出して噴霧する撒布ノズル２２とを備えている。
【００１９】
混合装置１８には、既知のファインバブル発生ユニットを組み込めば良い。また、ニガリ水溶液２０の濃度はハダニの発生の程度と効き目を評価しながら調整をするとよい。なお、容器２１の内部の空間に炭酸ガス１２を充満させておくと、ニガリ水溶液２０中の炭酸ガス１２のファインバブルの濃度をそのまま保持できる。
【００２０】
さらに、容器２１の内部の炭酸ガス１２の圧力によりニガリ水溶液２０を撒布ノズル２２から噴出させることができるので、噴霧用のポンプや電力を使用しないでよい構造を採用することも可能である。こうして、炭酸ガス１２の微小バブルとニガリ水溶液２０によりハダニを人畜無害な農薬により効果的に駆除できる。
【００２１】
予めニガリ水溶液２０を製造しておくと、炭酸ガス１２のファインバブルの濃度が保持できない。従って、ボンベ１４から容器２１に収容したニガリ水溶液２０の中に炭酸ガス１２を供給すると同時に、混合装置１８により炭酸ガス１２のファインバブルをニガリ水溶液２０中に混入させて、得られた混合液２４を容器２１から取り出して植物の葉２６に噴霧するようにするとよい。
【実施例２】
【００２２】
また、上記の例では、容器２１にニガリ水溶液２０を収容した。しかしながら、容器２１に収容する液の種類により、自由に混合液の成分を変更できる。例えば、水耕栽培に使用する植物生育用養液を収容して、これに炭酸ガス１２のファインバブルを植物生育用養液中に混入させると、植物の生育に最適な人畜無害の農薬を生成して噴霧できる。
【符号の説明】
【００２３】
１２  炭酸ガス
１４  ボンベ
１６  バルブ
１８  混合装置
２０  ニガリ水溶液
２１  容器
２２  撒布ノズル
２４  混合液
２６  植物の葉
【図１】
2019180346.tif 000003